(57)【要約】【課題】機器を音声で操作可能な浴室システムにおいて、使用者の意図しない音声入力により誤操作が発生することを抑制するとともに、使用者の盗聴に対する不安を低減できる浴室システムを提供する。【解決手段】浴室に設けられる機器を音声で操作可能な浴室システムであって、使用者が発する音声を収集する音声収集部と、前記音声収集部によって収集された前記音声に基づいて、前記機器の動作を制御する制御部と、前記音声収集部による音声収集を許可する音声収集許可モードと、前記音声収集部による音声収集を禁止する音声収集禁止モードと、を切り替えるための音声収集操作部と、を備え、前記音声収集操作部は、前記浴室の内部及び前記浴室に隣接する洗面所の少なくともいずれかに設けられることを特徴とする浴室システム。【選択図】図２
2020116166.tif 000002
【特許請求の範囲】
【請求項１】
浴室に設けられる機器を音声で操作可能な浴室システムであって、
使用者が発する音声を収集する音声収集部と、
前記音声収集部によって収集された前記音声に基づいて、前記機器の動作を制御する制御部と、
前記音声収集部による音声収集を許可する音声収集許可モードと、前記音声収集部による音声収集を禁止する音声収集禁止モードと、を切り替えるための音声収集操作部と、
を備え、
前記音声収集操作部は、前記浴室の内部及び前記浴室に隣接する洗面所の少なくともいずれかに設けられることを特徴とする浴室システム。
【請求項２】
前記音声収集操作部は、前記浴室の内部に設けられる浴槽及び前記浴室の側壁のうち前記浴槽に接する面の少なくともいずれかに設けられることを特徴とする請求項１記載の浴室システム。
【請求項３】
前記浴室の内部に設けられ、前記浴室に設けられる機器を操作するための浴室内リモコンをさらに備え、
前記音声収集操作部は、前記浴室内リモコンに設けられることを特徴とする請求項１または２に記載の浴室システム。
【請求項４】
前記洗面所に設けられ、前記浴室に設けられる機器を操作するための洗面所リモコンをさらに備え、
前記音声収集操作部は、前記洗面所リモコンに設けられることを特徴とする請求項１〜３のいずれか１つに記載の浴室システム。
【発明の詳細な説明】
【技術分野】
【０００１】
本発明の態様は、一般的に、浴室システムに関する。
【背景技術】
【０００２】
浴室に設けられる機器を操作する手段として、非接触手段である音声入力による操作（音声操作）が有効である。浴室内で音声操作を実現するためには、使用者が発する音声を確実に収集することが求められる。そのため、通常、音声操作を行う場合には、常に音声入力が有効な状態にしておくことが求められる。
【先行技術文献】
【特許文献】
【０００３】
【特許文献１】特開平１０−２５９９４１号公報
【発明の概要】
【発明が解決しようとする課題】
【０００４】
しかし、常に音声入力が有効な状態にしておくと、使用者の意図しない音声入力による誤操作が発生する可能性がある。また、常に音声入力が有効な状態にしておくと、盗聴されているのではないかなど、使用者に不安を抱かせてしまうおそれがある。
【０００５】
本発明は、かかる課題の認識に基づいてなされたものであり、機器を音声で操作可能な浴室システムにおいて、使用者の意図しない音声入力により誤操作が発生することを抑制するとともに、使用者の盗聴に対する不安を低減できる浴室システムを提供することを目的とする。
【課題を解決するための手段】
【０００６】
第１の発明は、浴室に設けられる機器を音声で操作可能な浴室システムであって、使用者が発する音声を収集する音声収集部と、前記音声収集部によって収集された前記音声に基づいて、前記機器の動作を制御する制御部と、前記音声収集部による音声収集を許可する音声収集許可モードと、前記音声収集部による音声収集を禁止する音声収集禁止モードと、を切り替えるための音声収集操作部と、を備え、前記音声収集操作部は、前記浴室の内部及び前記浴室に隣接する洗面所の少なくともいずれかに設けられることを特徴とする浴室システムである。
【０００７】
この浴室システムによれば、音声収集許可モードと音声収集禁止モードとを切り替えるための音声収集操作部を、浴室の内部及び洗面所の少なくともいずれかに設けることで、浴室や洗面所において容易に音声収集許可モードと音声収集禁止モードとの切り替えを行うことができる。これにより、音声操作を使用しないときには、音声収集禁止モードに切り替えることで、使用者の意図しない音声入力により誤操作が発生することを抑制できる。また、音声収集禁止モードに切り替えることで容易に音声収集を禁止することができるため、使用者の盗聴に対する不安を低減することができる。
【０００８】
第２の発明は、第１の発明において、前記音声収集操作部は、前記浴室の内部に設けられる浴槽及び前記浴室の側壁のうち前記浴槽に接する面の少なくともいずれかに設けられることを特徴とする浴室システムである。
【０００９】
この浴室システムによれば、音声収集操作部を、浴槽及び浴室の側壁のうち浴槽に接する面の少なくともいずれかに設けることで、浴槽内にいる使用者が入浴中に容易に音声収集操作部を操作することができる。
【００１０】
第３の発明は、第１または第２の発明において、前記浴室の内部に設けられ、前記浴室に設けられる機器を操作するための浴室内リモコンをさらに備え、前記音声収集操作部は、前記浴室内リモコンに設けられることを特徴とする浴室システムである。
【００１１】
この浴室システムによれば、音声収集操作部を浴室内リモコンに設けることで、浴室内リモコンの水密性を担保すれば、音声収集操作部の水密性も担保することができる。したがって、音声収集操作部を浴室の側壁などに直接設ける場合と比べて、施工性を向上させることができる。
【００１２】
第４の発明は、第１〜第３のいずれか１つの発明において、前記洗面所に設けられ、前記浴室に設けられる機器を操作するための洗面所リモコンをさらに備え、前記音声収集操作部は、前記洗面所リモコンに設けられることを特徴とする浴室システムである。
【００１３】
この浴室システムによれば、音声収集操作部を洗面所リモコンに設けることで、浴室への入室前に音声収集を禁止することができる。これにより、音声収集が許可されているか禁止されているかが分からない状況で発声した場合に、使用者の意図しない音声入力により誤操作が発生することを抑制できる。
【発明の効果】
【００１４】
本発明の態様によれば、機器を音声で操作可能な浴室システムにおいて、使用者の意図しない音声入力により誤操作が発生することを抑制するとともに、使用者の盗聴に対する不安を低減できる浴室システムが提供される。
【図面の簡単な説明】
【００１５】
【図１】実施形態に係る浴室システムを模式的に表すブロック図である。
【図２】実施形態に係る浴室システムを模式的に表す斜視図である。
【図３】実施形態に係る浴室システムの浴室内リモコンを模式的に表す正面図である。
【図４】実施形態に係る浴室システムの洗面所リモコンを模式的に表す正面図である。
【発明を実施するための形態】
【００１６】
以下、実施形態について図面を参照しつつ説明する。なお、各図面中、同様の構成要素には同一の符号を付して詳細な説明は適宜省略する。  
図１は、実施形態に係る浴室システムを模式的に表すブロック図である。  
図１に表したように、実施形態に係る浴室システム１００は、音声収集部１０と、制御部２０と、音声収集操作部８０と、を有する。
【００１７】
音声収集部１０は、使用者が発する音声を収集する。音声収集部１０は、マイクロフォン（マイク）などの音声を入力可能な音声入力装置である。音声収集部１０は、制御部２０に接続されており、収集した（入力された）音声についてのデータを制御部２０に送信する。なお、音声収集部１０と制御部２０とは、有線接続されていてもよいし、無線接続されていてもよい。
【００１８】
制御部２０は、音声収集部１０によって収集された音声に基づいて、浴室に設けられる機器３０の動作を制御する。この例では、複数の機器３０が設けられている。機器３０は１つでもよい。機器３０は、制御部２０に接続されており、制御部２０からの制御信号に基づいて動作する。なお、各機器３０と制御部２０とは、有線接続されていてもよいし、無線接続されていてもよい。
【００１９】
浴室に設けられる機器３０は、例えば、吐水装置３１、空調機器３２、照明機器３３、ＡＶ機器３４、マッサージ機器３５、及び洗浄機器３６などを含む。吐水装置３１は、例えば、シャワーやカランを含む。空調機器３２は、例えば、暖房機能、涼風機能、乾燥機能、及び換気機能の少なくともいずれかを有する機器である。ＡＶ機器３４は、例えば、スピーカーやテレビ（映像を出力可能なモニター）を含む。マッサージ機器３５は、例えば、ブローバスや肩湯などの水流によるマッサージ機器を含む。洗浄機器３６は、浴室床洗浄装置や浴槽洗浄装置を含む。また、浴室に設けられる機器３０は、例えば、浴槽の排水栓などを含んでもよい。
【００２０】
なお、実施形態においては、浴室に設けられる機器３０のうち、少なくとも１つが音声で操作可能であればよい。換言すれば、浴室に設けられる機器３０のうち一部は、音声で操作できないものであってもよい。
【００２１】
制御部２０は、使用者の音声操作（すなわち、音声収集部１０によって収集された音声）に基づいて、例えば、吐水装置３１の吐水、止水、温度、及び流量などを制御する。制御部２０は、使用者の音声操作に基づいて、例えば、空調機器３２の動作開始、動作停止、温度、及び風量などを制御する。制御部２０は、使用者の音声操作に基づいて、例えば、照明機器３３の点灯、消灯、明るさ、色調などを制御する。制御部２０は、使用者の音声操作に基づいて、例えば、ＡＶ機器３４の動作開始、動作停止、及び音量などを制御する。制御部２０は、使用者の音声操作に基づいて、例えば、マッサージ機器３５の動作開始、動作停止、及び流量などを制御する。制御部２０は、使用者の音声操作に基づいて、例えば、洗浄機器３６の動作開始及び動作停止などを制御する。
【００２２】
また、制御部２０は、音声収集部１０によって収集された音声に基づいて、浴室に隣接する洗面所に設けられる機器の動作を制御してもよい。洗面所に設けられる音声操作可能な機器は、例えば、空調機器を含む。制御部２０は、使用者の音声操作に基づいて、例えば、洗面所に設けられる空調機器の動作開始、動作停止、温度、及び風量などを制御する。
【００２３】
制御部２０は、音声収集部１０による音声収集を許可する音声収集許可モードと、音声収集部１０による音声収集を禁止する音声収集禁止モードと、を有する。音声収集操作部８０は、音声収集許可モードと、音声収集禁止モードと、を切り替えるための操作部である。音声収集操作部８０は、例えば、ボタンである。音声収集操作部は、例えば、タッチスクリーンなどであってもよい。
【００２４】
図２は、実施形態に係る浴室システムを模式的に表す斜視図である。  
図２に表したように、浴室５０は、天井５１と、床５２と、側壁５３と、を有する。側壁５３は、天井５１と床５２との間に設けられる立面部である。側壁５３は、例えば、第１〜第４側壁５３ａ〜５３ｄを有する。
【００２５】
浴室５０の内部には、浴槽６０が設けられている。浴槽６０は、上面視において、略長方形である。換言すれば、浴槽６０は、一対の長辺６１と一対の短辺６２とを有する。床５２は、浴室５０の下部において、浴槽６０が設けられていない部分である。
【００２６】
第１側壁５３ａは、浴槽６０の長辺６１側に接する。第２側壁５３ｂは、第１側壁５３ａに対向する。第３側壁５３ｃ及び第４側壁５３ｄは、それぞれ第１側壁５３ａと第２側壁５３ｂとの間に位置し、第１側壁５３ａと第２側壁５３ｂとを接続する。第４側壁５３ｄは、第３側壁５３ｃに対向する。
【００２７】
この例では、第３側壁５３ｃには、鏡７０及びカウンター７２が設けられている。また、第４側壁５３ｄには、浴室５０に出入りするためのドア５５が設けられている。
【００２８】
また、この例では、浴室５０の内部に吐水装置３１、空調機器３２、照明機器３３、スピーカー３４、マッサージ機器３５、及び洗浄機器３６が設けられている。吐水装置３１は、第３側壁５３ｃに設けられている。空調機器３２、照明機器３３、及びスピーカー３４は、天井５１に設けられている。マッサージ機器３５は、浴槽６０に設けられている。また、洗浄機器３６は、吐水装置３１の下方に設けられたカウンター７２の下部に設けられている。
【００２９】
音声収集部１０は、浴室５０の天井５１、床５２、及び側壁５３の少なくともいずれかに設けられる。この例では、２つの音声収集部１０（音声収集部１０ａ及び音声収集部１０ｂ）が、第１側壁５３ａと、第２側壁５３ｂと、に設けられている。より具体的には、音声収集部１０ａは、第１側壁５３ａに設けられており、音声収集部１０ｂは、第２側壁５３ｂに設けられている。なお、音声収集部１０の数は、２つに限定されず、１つであってもよいし、３つ以上であってもよい。
【００３０】
音声収集部１０は、浴室５０の天井５１、床５２、及び側壁５３を構成する部材に埋め込まれていてもよいし、浴室５０の内側または外側から天井５１、床５２、及び側壁５３を構成する部材に固定されていてもよい。
【００３１】
浴室５０の側壁５３には、浴室５０に設けられる機器３０を操作するための浴室内リモコン７５が設けられている。この例では、浴室内リモコン７５は、第１側壁５３ａに設けられている。浴室内リモコン７５は、第２側壁５３ｂ、第３側壁５３ｃ、または第４側壁５３ｄに設けられてもよい。
【００３２】
浴室内リモコン７５は、例えば、吐水装置３１、空調機器３２、照明機器３３、スピーカー３４、マッサージ機器３５、及び洗浄機器３６の少なくともいずれかを操作するためのリモコンである。浴室内リモコン７５は、給湯器（図示せず）を操作するためのリモコンであってもよい。なお、浴室内リモコン７５により操作可能な機器は、音声により操作できる機器であってもよいし、音声により操作できない機器であってもよい。浴室内リモコン７５は、必要に応じて設けられ、省略可能である。
【００３３】
また、浴室５０に隣接する空間には、洗面所９０が設けられている。ドア５５は、洗面所９０と浴室５０との間に設けられている。使用者は、ドア５５を介して、洗面所９０から浴室５０に入室し、浴室５０から洗面所９０に退室する。
【００３４】
洗面所９０の側壁には、浴室５０に設けられる機器を操作するための洗面所リモコン９５が設けられている。この例では、洗面所リモコン９５は、洗面所９０の側壁のうち、浴室５０に通じるドア５５が設けられる側壁（すなわち、第４側壁５３ｄの洗面所９０側）に設けられている。
【００３５】
洗面所リモコン９５は、例えば、吐水装置３１、空調機器３２、照明機器３３、スピーカー３４、マッサージ機器３５、及び洗浄機器３６の少なくともいずれかを操作するためのリモコンである。洗面所リモコン９５は、給湯器（図示せず）を操作するためのリモコンであってもよい。なお、洗面所リモコン９５により操作可能な機器は、音声により操作できる機器であってもよいし、音声により操作できない機器であってもよい。洗面所リモコン９５は、必要に応じて設けられ、省略可能である。
【００３６】
音声収集操作部８０は、浴室５０の内部及び洗面所９０の少なくともいずれかに設けられる。このように、音声収集許可モードと音声収集禁止モードとを切り替えるための音声収集操作部８０を、浴室５０の内部及び洗面所９０の少なくともいずれかに設けることで、浴室５０や洗面所９０において容易に音声収集許可モードと音声収集禁止モードとの切り替えを行うことができる。これにより、音声操作を使用しないときには、音声収集禁止モードに切り替えることで、使用者の意図しない音声入力により誤操作が発生することを抑制できる。また、音声収集禁止モードに切り替えることで容易に音声収集を禁止することができるため、使用者の盗聴に対する不安を低減することができる。
【００３７】
音声収集操作部８０は、例えば、浴槽６０及び浴室５０の側壁５３のうち浴槽６０に接する面（すなわち、第１側壁５３ａ、第３側壁５３ｃ、及び第４側壁５３ｄ）の少なくともいずれかに設けられる。このように、音声収集操作部８０を、浴槽６０及び浴室５０の側壁５３のうち浴槽６０に接する面の少なくともいずれかに設けることで、浴槽６０内にいる使用者が入浴中に容易に音声収集操作部８０を操作することができる。
【００３８】
音声収集操作部８０が浴槽６０に設けられる場合、音声収集操作部８０は、例えば、浴槽６０のリム（上面部）やバスエプロン（側面部）に設けられる。音声収集操作部８０が浴室５０の側壁５３のうち浴槽６０に接する面に設けられる場合、音声収集操作部８０は、浴室５０の側壁５３に直接設けられてもよいし、側壁５３に設けられる浴室内リモコン７５に設けられてもよい。
【００３９】
この例では、音声収集操作部８０は、浴室内リモコン７５に設けられている。このように、音声収集操作部８０を浴室内リモコン７５に設けることで、浴室内リモコン７５の水密性を担保すれば、音声収集操作部８０の水密性も担保することができる。したがって、音声収集操作部８０を浴室５０の側壁５３などに直接設ける場合と比べて、施工性を向上させることができる。
【００４０】
また、音声収集操作部８０が洗面所９０に設けられる場合、音声収集操作部８０は、例えば、洗面所９０の側壁に設けられる。この場合、音声収集操作部８０は、洗面所９０の側壁に直接設けられてもよいし、側壁に設けられる洗面所リモコン９５に設けられてもよい。
【００４１】
このように、音声収集操作部８０を洗面所リモコン９５に設けることで、浴室５０への入室前に音声収集を禁止することができる。これにより、音声収集が許可されているか禁止されているかが分からない状況で発声した場合に、使用者の意図しない音声入力により誤操作が発生することを抑制できる。
【００４２】
実施形態において、浴室システム１００は、浴室５０（天井５１、床５２、及び側壁５３）、機器３０（吐水装置３１、空調機器３２、照明機器３３、ＡＶ機器３４、マッサージ機器３５、及び洗浄機器３６など）、浴槽６０、及び洗面所９０の少なくともいずれかを含んでもよい。
【００４３】
図３は、実施形態に係る浴室システムの浴室内リモコンを模式的に表す正面図である。  図３に表したように、音声収集操作部８０は、例えば、浴室内リモコン７５に設けられる。この例では、浴室内リモコン７５は、空調機器３２を操作するための空調操作部７６と、照明機器３３を操作するための照明操作部７７と、音声収集許可モードと音声収集禁止モードとを切り替えるための音声収集操作部８０と、を有する。
【００４４】
音声収集操作部８０は、制御部２０を音声収集許可モードにするための音声収集許可ボタン８１と、制御部２０を音声収集禁止モードにするための音声収集禁止ボタン８２と、を有する。使用者が音声収集許可ボタン８１を押すと、制御部２０は、音声収集許可モードになる。使用者が音声収集禁止ボタン８２を押すと、制御部２０は、音声収集禁止モードになる。すなわち、使用者が音声収集許可ボタン８１及び音声収集禁止ボタン８２を押すと、音声収集許可モードと音声収集禁止モードとが切り替わる。
【００４５】
また、音声収集操作部８０は、制御部２０が音声収集許可モード及び音声収集禁止モードのどちらの状態にあるかを表示する表示部８５を有する。この例では、表示部８５は、音声収集許可ボタン８１の上に設けられ光を発する第１表示部８５ａと、音声収集禁止ボタン８２の上に設けられ光を発する第２表示部８５ｂと、を有する。第１表示部８５ａは、制御部２０が音声収集許可モードのときに点灯し、制御部２０が音声収集禁止モードのときに消灯する。第２表示部８５ｂは、制御部２０が音声収集許可モードのときに消灯し、制御部２０が音声収集禁止モードのときに点灯する。このような表示部８５を設けることで、音声収集許可モード及び音声収集禁止モードのどちらの状態にあるかを使用者が容易に把握できるため、使い勝手がよい。
【００４６】
図４は、実施形態に係る浴室システムの洗面所リモコンを模式的に表す正面図である。  図４に表したように、音声収集操作部８０は、例えば、洗面所リモコン９５に設けられる。この例では、洗面所リモコン９５は、空調機器３２を操作するための空調操作部９６と、音声収集許可モードと音声収集禁止モードとを切り替えるための音声収集操作部８０と、を有する。
【００４７】
音声収集操作部８０は、音声収集許可モードと音声収集禁止モードとを切り替えるための音声収集切替ボタン８３を有する。使用者が音声収集切替ボタン８３を押すと、音声収集許可モードと音声収集禁止モードとが交互に切り替わる。
【００４８】
また、音声収集操作部８０は、制御部２０が音声収集許可モード及び音声収集禁止モードのどちらの状態にあるかを表示する表示部８５を有する。この例では、表示部８５は、音声収集切替ボタン８３の上に設けられている。表示部８５は、制御部２０が音声収集許可モードのときに点灯し、制御部２０が音声収集禁止モードのときに消灯する。このような表示部８５を設けることで、音声収集許可モード及び音声収集禁止モードのどちらの状態にあるかを使用者が容易に把握できるため、使い勝手がよい。
【００４９】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室システムなどが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００５０】
１０、１０ａ、１０ｂ 音声収集部、  ２０ 制御部、  ３０ 機器、  ３１ 吐水装置、  ３２ 空調機器、  ３３ 照明機器、  ３４ ＡＶ機器（スピーカー）、  ３５ マッサージ機器、  ３６ 洗浄機器、  ５０ 浴室、  ５１ 天井、  ５２ 床、  ５３ 側壁、  ５３ａ〜５３ｄ 第１〜第４側壁、  ５５ ドア、  ６０ 浴槽、  ６１ 長辺、  ６２ 短辺、  ７０ 鏡、  ７２ カウンター、  ７５ 浴室内リモコン、  ７６ 空調操作部、  ７７ 照明操作部、  ８０ 音声収集操作部、  ８１ 音声収集許可ボタン、  ８２ 音声収集禁止ボタン、  ８３ 音声収集切替ボタン、  ８５ 表示部、  ８５ａ、８５ｂ 第１、第２表示部、  ９０ 洗面所、  ９５ 洗面所リモコン、  ９６ 空調操作部、  １００ 浴室システム
【図１】
2020116166.tif 000003
【図２】
2020116166.tif 000004
【図３】
2020116166.tif 000005
【図４】
2020116166.tif 000006